(57)【要約】【課題】センサに接続されるハーネスが流路の組み付けの邪魔をすることを抑制し、作業者が流路の組み付け作業を容易に行うことができる加熱調理器を提供する。【解決手段】コンロは、筐体、筐体の上部開口を覆う天板、及び、天板の下側に配置されたセンサ３１〜３９、保持部、及び、センサ３１〜３９等を内包するセンサ流路を備え、ファンによってセンサ流路内に空気が流れるセンサケース４０を備える。センサ３１〜３９にはハーネス９１が接続される。保持部は、センサ３１〜３９を保持してセンサケース４０に固定する。抑え部は保持部に設けられる。センサケース４０は、保持部を固定する固定部をセンサ流路内に有する。抑え部は、センサ３１〜３９をセンサケース４０に固定する過程で保持部が固定部に固定される場合、ハーネス９１を抑えて浮きを防止する。【選択図】図７
2020193774.tif 000002
【特許請求の範囲】
【請求項１】
筐体と、
前記筐体に載置され、前記筐体の上部開口を閉塞する天板と、
前記天板の下側に配置された電装ユニットと、
前記電装ユニットを内包する流路を備え、ファンによって前記流路内に空気が流れる冷却部と
を備えた加熱調理器であって、
前記電装ユニットは、
ハーネスが接続される測距センサと、
前記測距センサを保持した保持部と、
前記保持部に設けられた抑え部と
を有し、
前記冷却部は、前記保持部を固定する固定部を前記流路内に有し、
前記抑え部は、前記電装ユニットの前記保持部が前記固定部に固定された状態で前記ハーネスを抑えることを特徴とする加熱調理器。
【請求項２】
前記抑え部は、前記固定部側に向けて開いた開口部を有することを特徴とする請求項１に記載の加熱調理器。
【請求項３】
前記測距センサは、発光部、及び、前記発光部から発光された光の反射光を受光する受光部を備え、
前記保持部は、
前記測距センサの前記発光部から発光された光が、垂直方向に対して傾斜した向きに出射されるように前記センサを保持することを特徴とする請求項１又は２に記載の加熱調理器。
【発明の詳細な説明】
【技術分野】
【０００１】
本発明は加熱調理器に関する。
【背景技術】
【０００２】
天板の下側に複数のセンサを備えた加熱調理器が知られている。特許文献１は、光センサを備えたガスコンロを開示する。光センサは、反射型の測距センサである。ガスコンロにおいて、光センサは、トッププレートの直下に設けられ、コンロの前方において左右方向に並んで配置される。光センサは、上方の異物との間の距離を検出可能である。ガスコンロは、光センサにより検出された異物との間の距離が所定の作動距離以下の時、電磁弁を閉じてガス流量を低減し、バーナの火力を弱火にする。
【０００３】
上記のようにセンサがトッププレートに設けられる場合、グリル庫上に配置されたセンサの温度が上昇する可能性がある。これに対し、空気の流路を設けてセンサを内包し、冷却ファンによって流路に流した空気によりセンサを冷却する方法が知られている。
【先行技術文献】
【特許文献】
【０００４】
【特許文献１】特開２０１８−１２８１６１号公報
【発明の概要】
【発明が解決しようとする課題】
【０００５】
センサに対し、検出結果を出力するためのハーネスが接続される場合がある。ここで上記のように流路内にセンサが設けられる場合、ハーネスは流路内に配置されることになる。この場合、流路の組み付けの工程でハーネスが邪魔になり、作業者が組み付け作業を容易に行うことができない場合があるという問題点がある。
【０００６】
本発明の目的は、センサに接続されるハーネスが流路の組み付けの邪魔をすることを抑制し、作業者が流路の組み付け作業を容易に行うことができる加熱調理器を提供することである。
【課題を解決するための手段】
【０００７】
請求項１に記載の加熱調理器は、筐体と、前記筐体に載置され、前記筐体の上部開口を閉塞する天板と、前記天板の下側に配置された電装ユニットと、前記電装ユニットを内包する流路を備え、ファンによって前記流路内に空気が流れる冷却部とを備えた加熱調理器であって、前記電装ユニットは、ハーネスが接続される測距センサと、前記測距センサを保持した保持部と、前記保持部に設けられた抑え部とを有し、前記冷却部は、前記保持部を固定する固定部を前記流路内に有し、前記抑え部は、前記電装ユニットの前記保持部が前記固定部に固定された状態で前記ハーネスを抑えることを特徴とする。
【０００８】
請求項２に記載の加熱調理器の前記抑え部は、前記固定部側に向けて開いた開口部を有するとよい。
【０００９】
請求項３に記載の加熱調理器の前記測距センサは、発光部、及び、前記発光部から発光された光の反射光を受光する受光部を備え、前記保持部は、前記測距センサの前記発光部から発光された光が、垂直方向に対して傾斜した向きに出射されるように前記センサを保持するとよい。
【００１０】
請求項１に記載の加熱調理器によれば、電装ユニットの保持部に設けられた抑え部は、冷却部の流路に設けられた固定部に保持部が固定された状態でハーネスを抑える。ハーネスの浮きが抑え部によって抑えられることで、ハーネスが流路から外部に溢れることが抑制される。従って、作業者が加熱調理器の組み付け作業を行う過程でハーネスが組み付けの邪魔をすることが抑制される。従って、作業者は、流路の組み付け作業を容易に行うことができる。
【００１１】
請求項２に記載の加熱調理器によれば、電装ユニットの保持部が固定部に固定される過程で、抑え部の開口部がハーネスを抑えることができる。従って作業者は、電装ユニットを固定する過程でハーネスを抑え部により抑えることができる。
【００１２】
請求項３に記載の加熱調理器によれば、測距センサの機能が発揮される向きを、垂直方向に対して傾斜させることができる。
【図面の簡単な説明】
【００１３】
【図１】コンロ１の斜視図である。
【図２】コンロ１の平面図である。
【図３】天板３の下面に固定したセンサケース４０に対して、左ダクト部７１と右ダクト部７２を介して、左フロントパネル８０と右フロントパネル９０が接続した状態の斜視図である。
【図４】天板３、電装基板１００、及び、センサケース４０の分解斜視図である。
【図５】センサケース４０の上面側の斜視図である。
【図６】センサケース４０の下面側の斜視図である。
【図７】センサケース４０の下面側の平面図である。
【図８】センサ３０、保持部７６、及び、センサケース４０の分解斜視図である。
【図９】天板３及びセンサケース４０について、図２のＡ−Ａ線を矢印方向から視た断面図である。
【図１０】天板３及びセンサケース４０について、図２のＢ−Ｂ線を矢印方向から視た断面図である。
【発明を実施するための形態】
【００１４】
以下、本発明の実施形態を説明する。以下に記載される装置の構造などは、特定的な記載がない限り、それのみに限定する趣旨ではなく、単なる説明例である。図面は、本発明が採用しうる技術的特徴を説明する為に用いられるものである。
【００１５】
＜コンロ１の概要＞
図１〜図３を参照し、コンロ１の構造を説明する。図１に示すコンロ１は、ビルトインコンロである。コンロ１は筐体２と天板３を備える。筐体２の上側に天板３が載置される。筐体２は、上部に開口部（図示略）を有する。天板３は、筐体２の開口部を上側から閉塞する。天板３は、ガラス製の本体板３Ａ、及び、本体板３Ａの下面に固定された固定部３Ｂ（図３参照）を有する。本体板３Ａの上面左側には左バーナ４、上面右側には右バーナ５、上面後側にはグリル用の排気口７が夫々設けられる。本体板３Ａの下面には、一部透過性を有する非透過性の印刷が施される。筐体２の前面の中央部には、グリル扉８が手前側に引き出し可能に設けられる。グリル扉８は、筐体２内部に設けられるグリル庫の前側のグリル開口（図示略）を開閉する。グリル扉８の前面の上部には、取手８Ａが前方に突出して設けられる。筐体２の前面において、グリル扉８の左側の上下には、化粧板６Ａ、６Ｂが取り付けられ、右側の上下には、化粧板６Ｃ、６Ｄが取り付けられる。
【００１６】
図３に示す左フロントパネル８０及び右フロントパネル９０は、それぞれ、筐体２に固定される。図１に示すように、右フロントパネル９０の前面上部に設けられた電源スイッチ１９は、化粧板６Ｃの前面上部の開口６６から前方に突出する。筐体２の前面から化粧板６Ａ〜６Ｄを取り外すと、図３に示す左フロントパネル８０及び右フロントパネル９０の前面が露出する。左フロントパネル８０及び右フロントパネル９０のそれぞれの前面下部には、空気入口（図示略）が設けられる。左右の空気入口は、外部の空気を内側に取り入れる。
【００１７】
図２に示すように、天板３の本体板３Ａの上面の前側部において、左バーナ４の前側には、左バーナ４を操作する為の左操作部１１が設けられ、右バーナ５の前側には、右バーナ５を操作する為の右操作部１２が設けられる。左操作部１１には、左バーナ４の点火、消火、及び火力の増減等の操作を、指先のタッチで受け付ける複数の受付部と、タイマ時間、使用状態等に応じて点灯又は点滅する表示部等が設けられる。右操作部１２にも、左操作部１１と同様に、右バーナ５の操作に対応する複数の受付部、表示部等が設けられる。左バーナ４と右バーナ５に挟まれる中央部の前側には、グリル用発光表示部１３が設けられる。グリル用発光表示部１３には、グリル使用中に点灯する表示部が設けられる。左操作部１１、右操作部１２、及びグリル用発光表示部１３において、受付部は、ユーザによるタッチ操作の位置を示すために天板３に印刷されたボタン、マーク、又は記号等である。表示部は、天板３の本体板３Ａの非印刷領域であって、透過性を有する。以下、左操作部１１、右操作部１２、及びグリル用発光表示部１３を総称して「入出力部１４」という。
【００１８】
天板３の本体板３Ａの下面の前側部には、上面に設けられた入出力部１４に対応するように、電装基板１００（図４参照）が接着剤、又は両面テープ等で貼着される。その電装基板１００を下方から内包するように、センサケース４０が固定部３Ｂ（図４参照）を介して固定され、天板３の下側に支持される。センサケース４０は、天板３との間に形成される空間に電装基板１００を内包すると共に、天板３の下面に貼着された電装基板１００を下方から支持する。
【００１９】
図２に示すように、左操作部１１の後側には、平面視略円弧状のセンサ用窓部１５が設けられ、右操作部１２の後側には、平面視略円弧状のセンサ用窓部１６が設けられ、グリル用発光表示部１３の後側には、平面視略矩形状のセンサ用窓部１７が設けられる。センサ用窓部１５〜１７は、天板３の本体板３Ａの非印刷領域であって、透過性を有する。センサ用窓部１５の下方に、左から右にセンサ３１〜３４が夫々配置される。センサ用窓部１６の下方には、左から右にセンサ３５〜３８が夫々配置される。センサ用窓部１７の下方には、センサ３９が配置される。センサ３１〜３９は、上方に位置する異物までの距離を測定可能な一般的な測距センサであり、例えば赤外線センサである。センサケース４０は後述のセンサ収容部４５（図５参照）を有し、センサ収容部４５にセンサ３１〜３９を内包する。
【００２０】
＜電装基板１００＞
図４に示すように、電装基板１００は、左右方向に長い矩形状の基板本体１００Ａの上面に、導光板、近接センサ、及び拡散板が積層して形成される。基板本体１００Ａの上面に、複数のＬＥＤが実装される。導光板は、基板本体１００Ａの複数のＬＥＤから発光された光を上方に導き、且つ、光の拡散を防止するために設けられる。近接センサは、天板３の本体板３Ａの上面に対するユーザのタッチ操作を検出するために設けられた、静電容量型の周知の近接センサである。拡散板は、基板本体１００Ａの複数のＬＥＤ２１から発光された光を拡散するために設けられる。
【００２１】
電装基板１００は、天板３の本体板３Ａの下面に貼付される。電装基板１００の複数のＬＥＤ及び近接センサは、天板３の本体板３Ａのうち対応する入出力部１４の下側に配置される。従って、例えば、電装基板１００の複数のＬＥＤから発光された光は、入出力部１４の表示部を介して透過され、天板３の上方に出射可能となる。又、電装基板１００の近接センサは、入出力部１４の受付部に対してユーザが行うタッチ操作を検出することが可能となる。
【００２２】
＜センサケース４０＞
図３、図４に示すように、センサケース４０は、左右方向に延びる樹脂製の構造物である。センサケース４０は、本体部４１を備える。本体部４１は、平面視左右方向に延びるケース体である。図３に示すように、センサケース４０の左端部には、左フロントパネル８０の空気入口との間に亘って上下方向に延びる略筒状の左ダクト部７１が接続される。左ダクト部７１の内側には、冷却ファン（図示略）が取り付けられる。冷却ファンによって左フロントパネル８０の空気入口に取り込まれた冷却空気は、左ダクト部７１を介してセンサケース４０に供給される。センサケース４０の右端部には、右フロントパネル９０の空気入口との間に亘って上下方向に延びる略筒状の右ダクト部７２が接続される。右ダクト部７２の内側には、冷却ファン（図示略）が取り付けられる。冷却ファンによって右フロントパネル９０の空気入口に取り込まれた冷却空気は、右ダクト部７２を介してセンサケース４０に供給される。供給された冷却空気は、センサケース４０内の電装基板１００及びセンサ３１〜３９（図４〜図７参照）を冷却する。
【００２３】
図５〜図７に示すように、センサケース４０の本体部４１は、基板収容部４４、センサ収容部４５を備える。図５の紙面手前側の面は、センサケース４０の上面に対応する。図６、図７の紙面手前側の面は、センサケース４０の下面に対応する。図５に示すように、基板収容部４４は、本体部４１の前側部分に対応し、覆部５６及び周壁部５７を有する。覆部５６は、平面視左右方向に長い略矩形状に形成され、上下方向と直交する。覆部５６は、天板３の本体板３Ａの下面に対向する。周壁部５７は、覆部５６の周端部から上方に延びる。基板収容部４４は、上方に向けて開口する箱状に形成され、その内側には、天板３の本体板３Ａの下面に貼着された電装基板１００（図４参照）が内包される。
【００２４】
基板収容部４４の覆部５６の左端部には左流入口５２が設けられ、右端部には右流入口５３が設けられる。左流入口５２は、上下方向に延びる左筒部４２の上端部と連通する。右流入口５３は、上下方向に延びる右筒部４３の上端部と連通する。基板収容部４４の覆部５６における左右方向略中央の前側部分には、左右方向に並ぶ前側排出口５４Ａ、５４Ｂが設けられる。前側排出口５４Ａの後方には、開口部５５が設けられる。基板収容部４４の内側には、基板流路５０Ａ、５０Ｂが形成される。基板流路５０Ａには、左流入口５２から流入した冷却空気が流れ、前側排出口５４Ａから排出される。基板流路５０Ｂには、右流入口５３から流入した冷却空気が流れ、前側排出口５４Ｂから排出される。
【００２５】
図６に示すように、センサ収容部４５は、本体部４１の後側部分に対応し、底面視二つの円弧が左右方向に並ぶ細長い波状に形成される。センサ収容部４５は、ケース部６０Ａ及び蓋部６０Ｂを有する。ケース部６０Ａは、下方に向けて開口する箱状に形成される。蓋部６０Ｂは、ケース部６０Ａの開口を下側から覆う。以下、ケース部６０Ａの左側の円弧状の部位を、「左ケース部２９１」という。ケース部６０Ａの右側の円弧状の部位を、「右ケース部２９２」という。左ケース部２９１及び右ケース部２９２により挟まれた中央の部位を、「中央ケース部２９３」という。左ケース部２９１内に、冷却空気が流れるセンサ流路６０Ｃが形成される。右ケース部２９２内に、冷却空気が流れるセンサ流路６０Ｄが形成される。
【００２６】
図７に示すように、左ケース部２９１に沿って形成される円弧を「左円弧Ｒ１」といい、右ケース部２９２に沿って形成される円弧を「右円弧Ｒ２」という。左円弧Ｒ１の中心を基準とした半径方向を、「対向方向Ｄ１」という。対向方向Ｄ１のうち、左円弧Ｒ１の中心から外側に向かう側を、「対向方向Ｄ１の一方側」といい、対向方向Ｄ１の一方側と反対側を、「対向方向Ｄ１の他方側」という。右円弧Ｒ２の中心を基準とした半径方向を、「対向方向Ｄ２」という。対向方向Ｄ２のうち、右円弧Ｒ２の中心から外側に向かう側を、「対向方向Ｄ２の一方側」といい、対向方向Ｄ２の一方側と反対側を、「対向方向Ｄ２の他方側」という。対向方向Ｄ１、Ｄ２のそれぞれの一方側は、図７において前側に対応し、対向方向Ｄ１、Ｄ２のそれぞれの他方側は、図７において後側に対応する。
【００２７】
図６、図７に示すように、左ケース部２９１には、左側から右側に向かって順に、センサ３１〜３４が固定される。センサ３１〜３４は、センサ流路６０Ｃに内包される。右ケース部２９２には、左側から右側に向かって順に、センサ３５〜３８が固定される。センサ３５〜３８は、センサ流路６０Ｄに内包される。中央ケース部２９３には、センサ３９が固定される。図５に示すように、センサ３１〜３９は、それぞれ、発光部４７と受光部４８を備える。センサ３１〜３９の夫々の発光部４７と受光部４８は、ケース部６０Ａの上面に形成される筒状の凹部４５１内に露出する。センサケース４０が天板３の固定部３Ｂに固定された状態で、センサ３１〜３９は、天板３の本体板３Ａのセンサ用窓部１５〜１７の直下に支持される。センサ３１〜３９を総称して「センサ３０」という。センサ３０の構成の詳細については後述する。
【００２８】
図８に示すように、左ケース部２９１のセンサ流路６０Ｃに、複数の固定部８１が設けられる。複数の固定部８１は、第１固定部８１Ａ、８１Ｂ、第２固定部８１Ｃ、８１Ｄを含む。第１固定部８１Ａ、８１Ｂ、第２固定部８１Ｃ、８１Ｄは、この順番で、左円弧Ｒ１（図７参照）に沿って左側から右側に向けて並ぶ。第１固定部８１Ａ、８１Ｂ、第２固定部８１Ｃ、８１Ｄは、それぞれ、センサ３１、３２、３３、３４をセンサケース４０に固定するために設けられる。
【００２９】
各固定部８１は、貫通孔８２Ａ、８２Ｂ、ネジ孔８３を含む。貫通孔８２Ａは、センサ３０の発光部４７（図５参照）に対応する位置に設けられる。貫通孔８２Ｂは、センサ３０の受光部４８（図５参照）に対応する位置に設けられる。図５に示す筒状の凹部４５１は、左ケース部２９１の上面において貫通孔８２Ａ、８２Ｂを覆うように設けられる。第１固定部８１Ａ、８１Ｂと第２固定部８１Ｃ、８１Ｄとでは、左円弧Ｒ１（図７参照）に沿った方向における貫通孔８２Ａ、８２Ｂの並び順が相違する。第１固定部８１Ａ、８１Ｂにおいて、貫通孔８２Ａは貫通孔８２Ｂに対して左側に設けられる。第２固定部８１Ｃ、８１Ｄにおいて、貫通孔８２Ａは貫通孔８２Ｂに対して右側に設けられる。
【００３０】
ネジ孔８３は、左ケース部２９１のうち貫通孔８２Ａ、８２Ｂに対して対向方向Ｄ１（図７参照）の一方側又は他方側に設けられる。第１固定部８１Ａ、８１Ｂと第２固定部８１Ｃ、８１Ｄとでは、貫通孔８２Ａ、８２Ｂに対してネジ孔８３が設けられる位置が相違する。第１固定部８１Ａ、８１Ｂにおいて、ネジ孔８３は貫通孔８２Ａ、８２Ｂに対して対向方向Ｄ１の一方側に設けられる。第２固定部８１Ｃ、８１Ｄにおいて、ネジ孔８３は貫通孔８２Ａ、８２Ｂに対して対向方向Ｄ１の他方側に設けられる。
【００３１】
なお、詳細な説明は省略するが、右ケース部２９２のセンサ流路６０Ｄにも、左ケース部２９１の複数の固定部８１と同様に配置された複数の固定部８１（第１固定部８１Ａ、８１Ｂ、第２固定部８１Ｃ、８１Ｄ）が設けられる。右ケース部２９２の第１固定部８１Ａ、８１Ｂ、第２固定部８１Ｃ、８１Ｄは、この順番で、右円弧Ｒ２（図７参照）に沿って左側から右側に向けて並ぶ。第１固定部８１Ａ、８１Ｂ、第２固定部８１Ｃ、８１Ｄは、それぞれ、センサ３５、３６、３７、３８をセンサケース４０に固定するために設けられる。
【００３２】
図６に示すように、ケース部６０Ａの左端部には、基板収容部４４側に向けて延びる前方突出部６１１が設けられる。前方突出部６１１の底面には、上記の左流入口５２が配置される。左流入口５２は、左筒部４２の上方に配置され、基板収容部４４とセンサ収容部４５を互いに連通する。ケース部６０Ａの右端部には、基板収容部４４側に向けて延びる前方突出部６２１が設けられる。前方突出部６２１の底面には、上記の右流入口５３が配置される。右流入口５３は、右筒部４３の上方に配置され、基板収容部４４とセンサ収容部４５を互いに連通する。
【００３３】
中央ケース部２９３の底部２９Ｃのうちセンサ３９の左側に隣接する位置から下方に延びる仕切壁６３１は、センサ流路６０Ｃ、６０Ｄを仕切る。左流入口５２から流入した冷却空気は、センサ流路６０Ｃの左端側から右端側に向けて流れる。右流入口５３から流入した冷却空気は、センサ流路６０Ｄの右端側から左端側に向けて流れる。
【００３４】
蓋部６０Ｂの左端部には、上下方向に延びる左筒部４２が設けられる。左筒部４２の上端開口部は、ケース部６０Ａの前方突出部６１１に配置され、センサ流路６０Ｃの左端部に連通する。左筒部４２の下端開口部４２１は、前方突出部６１１から下方に突出する。下端開口部４２１には、矩形枠状の弾性体４２２が固定される。左筒部４２の下端開口部４２１は、図３に示す左ダクト部７１の上端部の流出口７１１に弾性体４２２を介して連通する。図６に示すように、蓋部６０Ｂの右端部にも、上下方向に延びる右筒部４３が設けられる。右筒部４３の上端開口部は、ケース部６０Ａの前方突出部６２１に配置され、センサ流路６０Ｄの右端部に連通する。右筒部４３の下端開口部４３１は、前方突出部６２１から下方に突出する。下端開口部４３１には、矩形枠状の弾性体４３２が固定される。右筒部４３の下端開口部４３１は、図３に示す右ダクト部７２の上端部の流出口７２１に弾性体４３２を介して連通する。
【００３５】
図６に示すように、蓋部６０Ｂの左右方向中央には、下方に突出する略四角筒状の接続筒６８が設けられる。接続筒６８は、センサ流路６０Ｃの右端部、及び、センサ流路６０Ｄの左端部と連通する。接続筒６８の下方に突出する下端部には、底面視略矩形枠状の弾性体６９が貼着される。接続筒６８の内側には、仕切壁６８１が設けられる。仕切壁６８１は、接続筒６８の内側を左右に仕切る。仕切壁６８１の下端部は、ケース部６０Ａの仕切壁６３１の上端部に当接する。接続筒６８は、弾性体６９を介して、筐体２内の空気流路（非図示）の前端部に装着される。該空気流路は、天板３の本体板３Ａの排気口７からグリル庫の上方を通って前方に延び、接続筒６８に接続する。
【００３６】
＜センサ３０、保持部７６、一対の抑え部７６Ｂ＞
図８に示すように、センサ３０は、基部７３Ａ、一対の突出板部７３Ｂ、凸部７４を備える。基部７３Ａは、一方向に長い直方体状を有する。基部７３Ａの上側に、発光部４７及び受光部４８（図５参照）が設けられる。発光部４７及び受光部４８は、基部７３Ａの長手方向に並ぶ。一対の突出板部７３Ｂは、基部７３Ａの長手方向の両端部から外側に突出する。一対の突出板部７３Ｂは、上下方向に貫通する貫通孔を有する。凸部７４は、基部７３Ａの短手方向の一方側から突出する。凸部７４は、基部７３Ａにおいて発光部４７及び受光部４８により検出された検出結果が出力されるハーネス９１（図７参照）が接続されるコネクタである。
【００３７】
保持部７６１〜７６４は、センサケース４０の固定部８１にセンサ３０を固定する為に設けられる。保持部７６１〜７６４は、左円弧Ｒ１（図７参照）に沿って左側から右側に向けて並ぶ。保持部７６１〜７６４は、センサ３１〜３４と第１固定部８１Ａ、８１Ｂ、第２固定部８１Ｃ、８１Ｄとの間に介在してセンサ３１〜３４を保持し、且つ、センサケース４０の第１固定部８１Ａ、８１Ｂ、第２固定部８１Ｃ、８１Ｄに固定される。以下、保持部７６１〜７６４を総称して「保持部７６」という。詳細は後述するが、保持部７６１、７６２と、保持部７６３、７６４とでは、形状が相違する。
【００３８】
保持部７６は、一部が上下方向に貫通した略筒状の支持体７６Ａを備える。センサ３０の基部７３Ａは、支持体７６Ａの下部開口から進入し、支持体７６Ａ内で支持される。基部７３Ａの発光部４７及び受光部４８は、支持体７６Ａの上部開口から露出する。支持体７６Ａの上端部から、対向方向Ｄ１の一方側又は他方側に向けて、板状の台部７６Ｄが延びる。支持体７６Ａと板部７６Ｄとのそれぞれの上面は、水平に延びる。保持部７６１、７６２と、保持部７６３、７６４とでは、台部７６Ｄの延びる方向が互いに反対側を向く。保持部７６１、７６２の台部７６Ｄは、支持体７６Ａから対向方向Ｄ１（図７参照）の他方側に延びる。保持部７６３、７６４の台部７６Ｄは、支持体７６Ａから対向方向Ｄ１の一方側に延びる。
【００３９】
図９、図１０に示すように、台部７６Ｄと支持体７６Ａとのそれぞれの延びる向きは直交しない。台部７６Ｄに対して支持体７６Ａが延びる向きは、対向方向Ｄ１の他方側に傾斜する。ここで上記のように、保持部７６１、７６２と、保持部７６３、７６４とでは、台部７６Ｄの延びる方向が互いに反対側を向いている。このため、保持部７６１、７６２と、保持部７６３、７６４とでは、台部７６Ｄが延びる方向と、支持体７６Ａが傾斜する方向との関係が互いに相違する。より具体的には、図９に示すように、保持部７６２の場合、支持体７６Ａが傾斜する方向（矢印Ｙ１１の方向）は、対向方向Ｄ１において、台部７６Ｄが延びる方向と同一方向を向く。保持部７６１についても同様である。一方、図１０に示すように、保持部７６４の場合、支持体７６Ａが傾斜する方向（矢印Ｙ１２の方向）は、対向方向Ｄ１において、台部７６Ｄが延びる方向と反対方向を向く。
【００４０】
図８に示すように、保持部７６は更に、支持体７６Ａのうち左円弧Ｒ１（図７参照）に沿った方向の両端部に、一対の抑え部７６Ｂを有する。一対の抑え部７６Ｂは、それぞれ円柱状を有し、支持体７６Ａと平行に延びる。一対の抑え部７６Ｂは、下面の中心にネジ孔を有する。支持体７６Ａ内でセンサ３０の基部７３Ａが支持された状態で、センサ３０の一対の突出板部７３Ｂのそれぞれの貫通孔と、一対の抑え部７６Ｂのそれぞれのネジ孔とは、上下方向に並ぶ。センサ３０は、一対の突出板部７３Ｂのそれぞれの貫通孔に挿通されたネジが、保持部７６の一対の抑え部７６Ｂのそれぞれのネジ孔に螺合することによって、保持部７６に保持される。
【００４１】
一対の抑え部７６Ｂのそれぞれは、上端部に開口部７６０を有する。開口部７６０は、一対の抑え部７６Ｂのそれぞれのうち、支持体７６Ａに近接する部位に設けられた切欠きにより形成される。開口部７６０は、保持部７６がセンサケース４０に固定された場合における固定部８１側（上側）に向けて開いている。開口部７６０は、保持部７６が固定部８１に固定された状態で、センサ３０の凸部７４に接続されるハーネス９１（図７参照）を、左ケース部２６１との間に挟んで抑える。
【００４２】
保持部７６は更に、支持体７６Ａに対して台部７６Ｄが延びる方向と反対方向に突出する突出板部７６Ｃを有する。保持部７６１、７６２の突出板部７６Ｃは、支持体７６Ａから対向方向Ｄ１の一方側に突出する。保持部７６３、７６４の突出板部７６Ｃは、支持体７６Ａから対向方向Ｄ１の他方側に突出する。突出板部７６Ｃには、上下方向に貫通する貫通孔が形成される。保持部７６は、突出板部７６Ｃ及び台部７６Ｄが水平に延びる状態で、固定部８１に配置される。この状態で、突出板部７６Ｃの貫通孔に挿通されたネジが、センサケース４０の固定部８１のネジ孔８３に螺合することによって、保持部７６がセンサケース４０に固定される。
【００４３】
センサ３１〜３４のそれぞれの基部７３Ａは、保持部７６によりセンサケース４０に固定された状態で、センサ流路６０Ｃ（図６参照）の延びる左円弧Ｒ１に沿って一列に並ぶように配列される。又、センサ３１〜３４の凸部７４は、それぞれ、保持部７６の突出板部７６Ｃが突出する方向と同一方向に突出する。なお上記のように、保持部７６１、７６２と保持部７６３、７６４とでは、突出板部７６Ｃが突出する方向が対向方向Ｄ１において互いに反対側を向いている。このため、センサ３１の凸部７４は、基部７３Ａに対して対向方向Ｄ１の一方側に突出する。センサ３２の凸部７４は、基部７３Ａに対して対向方向Ｄ１の一方側に突出する。一方、センサ３３の凸部７４は、基部７３Ａに対して対向方向Ｄ１の他方側に突出する。センサ３４の凸部７４は、基部７３Ａに対して対向方向Ｄ１の他方側に突出する。即ち、センサ３１、３２とセンサ３３、３４とでは、基部７３Ａに対して凸部７４が突出する方向が、対向方向Ｄ１において互いに反対方向を向く。
【００４４】
又、図９、図１０に示すように、保持部７６１〜７６４のそれぞれの支持体７６Ａ及び一対の抑え部７６Ｂの延びる方向（矢印Ｙ１１，Ｙ１２の方向）は、対向方向Ｄ１において同一方向に傾斜する。より詳細には、保持部７６１〜７６４のそれぞれの支持体７６Ａ及び一対の抑え部７６Ｂの延びる方向は、固定部８１から下方に向けて、対向方向Ｄ１の他方側に傾斜する。このため、支持体７６Ａにセンサ３１〜３４が保持された場合、センサ３１〜３４も傾斜する。従って、支持体７６Ａに保持された状態でセンサ３１〜３４の発光部４７から発光される光は、何れも、保持部７６の支持体７６Ａ及び一対の抑え部７６Ｂが延びる方向と反対方向、言い換えれば、垂直上方に対して対向方向Ｄ１の一方側に傾斜した方向（図９の矢印Ｙ２１、図１０の矢印Ｙ２２の方向）に出射される。なお、傾斜角度は特に限定されないが、１０°以下が好ましく、更に好ましくは５°である。
【００４５】
なお、詳細な説明は省略するが、右ケース部２９２の固定部８１にセンサ３５〜３８を固定するための保持部７６は、左ケース部２９１の保持部７６と同様の配置及び向きで配置される。右ケース部２９２において固定部８１によりセンサ３５〜３８が固定された場合、センサ３５〜３８のそれぞれの基部７３Ａは、センサ流路６０Ｄ（図６参照）の延びる右円弧Ｒ２に沿って一例に並ぶように配列される。センサ３５、３６とセンサ３７、３８とでは、基部７３Ａに対して凸部７４が突出する方向が、対向方向Ｄ２において互いに反対方向を向く。センサ３５〜３８の発光部４７から発光される光は、何れも、垂直上方に対して対向方向Ｄ２の一方側に傾斜した方向に出射される。
【００４６】
図２に示すように、センサケース４０が天板３の下側に固定された状態で、センサ３１〜３９は、本体板３Ａのセンサ用窓部１５〜１７の下側に配置される。センサ３１〜３９の発光部４７から発光した赤外光は、センサ用窓部１５〜１７を介して上方に出射可能となる。又、センサ３１〜３９の受光部４８は、発光部４７が発光した赤外光を、センサ用窓部１５〜１７を介して受光可能となる。例えば、発光部４７が発光した赤外光が異物に反射して受光部４８により受光された場合、センサ３１〜３９は、受光部４８が受光した反射光の強度に基づき、所定高さ範囲内に異物があるか否かを検出できる。
【００４７】
センサ３０の発光部４７からの光を垂直上方に対して傾斜した向きに出射させる理由は、コンロ１の上方に通常配置されるレンジフードにより反射した反射光が、センサ３０による異物の検知精度に影響を及ぼすことを抑制するためである。
【００４８】
＜ハーネス９１の配置＞
図７に示すように、ハーネス９１は、センサケース４０のセンサ収容部４５内に配置される。ハーネス９１は、複数のケーブルが束状となった基幹部９２と、基幹部９２から分岐する分岐部９３Ａ〜９３Ｉとを備える。ハーネス９１の基幹部９２は、センサ収容部４５の左端部から内部に挿通され、センサ収容部４５の右端部に亘って延びる。より詳細には、ハーネス９１の基幹部９２は、センサ３１の後方、センサ３２の後方、センサ３３を保持する保持部７６の左側の抑え部７６Ｂの開口部７６０（図８参照）、センサ３３の前方、センサ３４の前方、センサ３９の後方、センサ３５の後方、センサ３６の後方、センサ３７を保持する保持部７６の左側の抑え部７６Ｂの開口部７６０、及び、センサ３７の前方を通過して、センサ収容部４５の先端部に至る。
【００４９】
分岐部９３Ａは、ハーネス９１の基幹部９２の先端部から延び、センサ３１を保持する保持部７６の左側の抑え部７６Ｂの開口部７６０を通過して、センサ３８の凸部７４（図８参照）に接続される。分岐部９３Ｂは、センサ３７の右前方において基幹部９２から分岐し、センサ３７を保持する保持部７６の右側の抑え部７６Ｂの開口部７６０を通過して、センサ３７の凸部７４に接続される。分岐部９３Ｃは、センサ３６の左後方において基幹部９２から分岐し、センサ３６を保持する保持部７６の左側の抑え部７６Ｂの開口部７６０を通過して、センサ３６の凸部７４に接続される。分岐部９３Ｄは、センサ３５の右後方において基幹部９２から分岐し、センサ３５を保持する保持部７６の右側の抑え部７６Ｂの開口部７６０を通過して、センサ３７の凸部７４に接続される。分岐部９３Ｅは、センサ３９の右後方において基幹部９２から分岐し、センサ３９を保持する保持部７６の右側の抑え部７６Ｂの開口部７６０を通過して、センサ３９の凸部７４に接続される。
【００５０】
分岐部９３Ｆは、センサ３４の左前方において基幹部９２から分岐し、センサ３４を保持する保持部７６の左側の抑え部７６Ｂの開口部７６０を通過して、センサ３４の凸部７４に接続される。分岐部９３Ｇは、センサ３３の右前方において基幹部９２から分岐し、センサ３３を保持する保持部７６の右側の抑え部７６Ｂの開口部７６０を通過して、センサ３３の凸部７４に接続される。分岐部９３Ｈは、センサ３２の左後方において基幹部９２から分岐し、センサ３２を保持する保持部７６の左側の抑え部７６Ｂの開口部７６０を通過して、センサ３２の凸部７４に接続される。分岐部９３Ｉは、センサ３１の右後方において基幹部９２から分岐し、センサ３１を保持する保持部７６の右側の抑え部７６Ｂの開口部７６０を通過して、センサ３１の凸部７４に接続される。
【００５１】
＜電装基板１００及びセンサ３１〜３９の冷却方法＞
コンロ１の非図示の制御部は、左ダクト部７１及び右ダクト部７２内の冷却ファンを共に駆動する。冷却ファンの駆動に応じ、左フロントパネル８０及び右フロントパネル９０のそれぞれの空気入口から空気が吸い込まれる。吸い込まれた空気は、センサケース４０に向けて供給される冷却空気として、左ダクト部７１及び右ダクト部７２のそれぞれの内部を上方に流れる。左ダクト部７１内を流れた冷却空気は、センサケース４０の左筒部４２の下端開口部４２１から内側に流入する。右ダクト部７２内を流れた冷却空気は、センサケース４０の右筒部４３の下端開口部４３１から内側に流入する。
【００５２】
左筒部４２内に流入した冷却空気は、前方突出部６１１に設けられた左流入口５２によって、本体部４１の下面側と上面側に所定の比率で分流される。一方、右筒部４３内に流入した冷却空気も、前方突出部６２１に設けられた右流入口５３によって、本体部４１の下面側と上面側に所定の比率で分流される。左筒部４２内から本体部４１の下面側に流れた冷却空気は、センサ収容部４５に左端側から流入する。冷却空気は、センサ収容部４５のセンサ流路６０Ｃを左端側から中央側に向けて流れる。右筒部４３内から本体部４１の下面側に流れた冷却空気は、センサ収容部４５に右端側から流入する。冷却空気は、センサ収容部４５のセンサ流路６０Ｃを右端側から中央側に向けて流れる。これらにより、センサ３１〜３９が冷却空気によって冷却される。センサ流路６０Ｃを中央側に流れた冷却空気は、中央蓋部６５３に設けられた接続筒６８を介して外部に流出する。接続筒６８を介して外部に流出した冷却空気は、グリル庫上方の空気流路を通って排気口７より外部に排出される。
【００５３】
左筒部４２内から本体部４１の上面側に流れた冷却空気は、基板収容部４４に左端側から流入する。冷却空気は、基板収容部４４の基板流路５０Ａを左端側から中央側に向けて流れる。右筒部４３内から本体部４１の上面側に流れた冷却空気は、基板収容部４４に右端側から流入する。冷却空気は、基板収容部４４の基板流路５０Ｂを右端側から中央側に向けて流れる。これらにより、電装基板１００が冷却空気によって冷却される。基板流路５０Ａ、５０Ｂを中央側に流れた冷却空気は、前側排出口５４Ｂから外部に排出される。
【００５４】
＜本実施形態の主たる作用、効果＞
コンロ１において、センサ３０を保持する保持部７６に設けられた抑え部７６Ｂは、センサケース４０のセンサ流路６０Ｃ、６０Ｄに設けられた固定部８１に保持部７６が固定された状態で、ハーネス９１を下方から抑える。この場合、ハーネス９１の浮きが抑え部７６Ｂによって抑えられることで、ハーネス９１がセンサ流路６０Ｃ、６０Ｄから外部に溢れることが抑制される。従って、作業者がコンロ１の製造過程で天板３にセンサケース４０を組み付ける場合、ハーネス９１がはみ出して組み付けの邪魔をすることが抑制される。従って、作業者は、天板３に対するセンサケース４０の組み付け作業を容易に行うことができる。
【００５５】
抑え部７６Ｂは、開口部７６０とセンサケース４０との間にハーネス９１を挟んで抑える。このため、保持部７６が固定部８１に固定される過程で、抑え部７６Ｂの開口部７６０によりハーネス９１が抑えられる。従って作業者は、センサケース４０にセンサ３０を固定する作業過程で開口部７６０によりハーネス９１を抑えることができるので、抑え部７６Ｂによりハーネス９１を容易に抑えることができる。
【００５６】
保持部７６は、センサ３０の発光部４７から発光された光が、垂直上方に対して傾斜した向き（矢印Ｙ１１の向き）に出射されるように、センサ３０を保持する。これにより、コンロ１は、センサ３０の機能が発揮される向きを、垂直上方に対して傾斜させることができる。この場合、センサ３０による異物の検知範囲を容易に制御することができるので、レンジフードにより反射したセンサ３０の反射光が、センサ３０による異物の検知精度に影響を及ぼすことを抑制できる。
【００５７】
＜変形例＞
本発明は上記実施形態に限定されず、種々の変更が可能である。センサケース４０のセンサ収容部４５は、上方に開口する開口部を有してもよい。センサ収容部４５は、天板３の本体板３Ａとの間に挟まれた空間に、センサ流路６０Ｃ、６０Ｄを形成してもよい。保持部７６の一対の抑え部７６Ｂは、開口部７６０によりハーネス９１を抑える構成を有さなくてもよく、他の構成によりハーネス９１を抑えてもよい。例えば抑え部７６Ｂは、ハーネス９１を挟持する挟持部を有していてもよい。挟持部は例えば、板材に設けられたスリットにより形成されてもよい。この場合、作業者は、挟持部にハーネス９１を挟持しながら保持部７６を固定部８１に固定する作業を行うことによって、センサ３０をセンサケース４０に容易且つ確実に保持できる。
【００５８】
保持部７６によりセンサ３０が固定部８１に保持された場合における発光部４７からの光の出射方向は、垂直上方に対して前方に傾斜した方向に限らない。例えば保持部７６は、センサ３１〜３９のうち一部について、光の出射方向が前方に傾斜し、残りについて、光の出射方向が後方に傾斜するように、センサ３０を保持してもよい。一方、保持部７６は、光の出射方向が垂直上方を向くように、センサ３０を固定部８１に固定してもよい。
【００５９】
上記実施形態のコンロ１は、ビルトインコンロであるが、テーブルコンロであってもよい。また、コンロバーナの数は、上記実施形態では二つであるが、一つ、又は三つ以上であってもよい。センサ３０の数は、上記実施形態に限定されないことはいうまでもない。
【００６０】
＜その他＞
コンロ１は、本発明の「加熱調理器」の一例である。センサ３０、保持部７６、及び抑え部７６Ｂは、本発明の「電装ユニット」の一例である。センサケース４０は、本発明の「冷却部」の一例である。
【符号の説明】
【００６１】
１        ：コンロ
２        ：筐体
３        ：天板
３０、３１、３２、３３、３４、３５、３６、３７、３８、３９      ：センサ
４０      ：センサケース
４５      ：センサ収容部
４７      ：発光部
４８      ：受光部
６０Ｃ、６０Ｄ    ：センサ流路
７６      ：保持部
８１      ：固定部
９１      ：ハーネス
【図１】
2020193774.tif 000003
【図２】
2020193774.tif 000004
【図３】
2020193774.tif 000005
【図４】
2020193774.tif 000006
【図５】
2020193774.tif 000007
【図６】
2020193774.tif 000008
【図７】
2020193774.tif 000009
【図８】
2020193774.tif 000010
【図９】
2020193774.tif 000011
【図１０】
2020193774.tif 000012